(57)【特許請求の範囲】
【請求項１】
フレットスイッチと、
弦操作に対応する入力操作を検出するセンサと、
該フレットスイッチとセンサの駆動を条件に該駆動に対応した楽音信号を発生する楽音信号発生手段と、
前記センサまたは楽音信号発生手段で使用する電源としての充電式電池と、
前記楽音信号発生手段からの楽音信号を外部アンプへ出力する信号端子と、
前記フレットスイッチとセンサと楽音信号発生手段と充電式電池と信号端子とを収納した楽器本体と、
を備えた電子弦楽器であって、
前記信号端子に協働する協働端子を、外部アンプに楽音信号を出力するギターコード用の前記信号端子と共に設け、
前記楽器本体で使用する電源を、前記外部アンプに内蔵した電源部から前記協働端子を介して供給し、尚且つ前記協働端子を介して前記充電式電池に充電するようにしたことを特徴とする電子弦楽器。
【請求項２】
前記協働端子へ前記外部アンプからの接続時に、前記充電式電池を、該充電式電池が使用される消費回路から電気的に孤立させ、前記協働端子から充電のみに供されるようにする、制限手段を備えたことを特徴とする請求項１記載の電子弦楽器。
【発明の詳細な説明】
【０００１】
【発明の属する技術分野】
本発明は、フレットスイッチと、弦操作に対応する入力操作を検出するセンサと、該フレットスイッチとセンサの駆動を条件に該駆動に対応した楽音信号を発生する楽音信号発生手段と、前記楽音信号発生手段からの楽音信号を外部アンプへ供給する信号端子と、前記フレットスイッチとセンサと楽音信号発生手段と信号端子とを収納した楽器本体と、を備えた電子弦楽器に関する。
【０００２】
【従来の技術】
従来、有弦電子ギターいわゆるエレキギターは、アナログの楽音信号を外部アンプ（ギターアンプ）に出力し、この外部アンプで増幅されてスピーカから楽音が奏出される。このようなエレキギターは、弦の振動エネルギーから電磁ピックアップセンサによって発電し、この発電による電気信号が楽音信号となるので、楽音信号を発生するためにギター本体に電源を搭載する必要がなかった。
【０００３】
しかし、フレットスイッチと弦スイッチで発音する無弦電子ギター（疑似弦はある）の場合は、疑似弦の操作をピエゾセンサ等で検出して、その検出信号からギター等の楽音信号を生成するために制御回路を駆動する必要がある。また、無弦電子ギターの場合はギターそのものが楽器として扱われるので、本体にスピーカを内蔵するものもある。このため、乾電池で駆動するか、外からコードにて電源供給する必要がある。
【０００４】
【発明が解決しようとする課題】
しかし、外から電源を供給する場合には、ＡＣ／ＤＣアダプターをギター本体に備えなければならないのでギター本体の総重量が増し、演奏性及び可搬性を悪くしていた。
本発明は、無弦電子ギターの電力源を外部に持つことで、電子ギターの軽量化を図り、演奏性と可搬性を向上させることを課題とする。
【０００５】
【課題を解決するための手段】
本発明の請求項１の電子弦楽器は、フレットスイッチと、弦操作に対応する入力操作を検出するセンサと、該フレットスイッチとセンサの駆動を条件に該駆動に対応した楽音信号を発生する楽音信号発生手段と、前記センサまたは楽音信号発生手段で使用する電源としての充電式電池と、前記楽音信号発生手段からの楽音信号を外部アンプへ出力する信号端子と、前記フレットスイッチとセンサと楽音信号発生手段と充電式電池と信号端子とを収納した楽器本体と、を備えた電子弦楽器であって、前記信号端子に協働する協働端子を、外部アンプに楽音信号を出力するギターコード用の前記信号端子と共に設け、前記楽器本体で使用する電源を、前記外部アンプに内蔵した電源部から前記協働端子を介して供給し、尚且つ前記協働端子を介して前記充電式電池に充電するようにしたことを特徴とする。
【０００６】
上記のように構成された請求項１の電子弦楽器によれば、協働端子を、外部アンプに楽音信号を出力するギターコード用の信号端子と共に設けているので、ギターコードを利用して外部アンプから楽器本体に電源を供給することができる。外部アンプでＡＣ／ＤＣコンバータを設けることは容易であり、楽器本体に所定電圧の直流電源も容易に供給できる。したがって、楽器本体にＡＣ／ＤＣアダプターを必要とせず軽量化を図ることができる。また、ギターコードを利用するので電源供給のための専用の配線を必要としない。さらに、演奏中に充電式電池に充電することができ、外部アンプを使用しないで例えばヘッドホン再生する場合にも、充電式電池を電源として使用することができる。なお、充電式電池を内蔵してもＡＣ／ＤＣアダプターを内蔵するよりも軽量である。
【０００９】
本発明の請求項２の電子弦楽器は、請求項１の構成を備え、前記協働端子へ前記外部アンプからの接続時に、前記充電式電池を、該充電式電池が使用される消費回路から電気的に孤立させ、前記協働端子から充電のみに供されるようにする、制限手段を備えたことを特徴とする。
【００１０】
上記のように構成された請求項２の電子弦楽器によれば、請求項１と同様な作用効果が得られるとともに、充電時に充電式電池が消費回路から電気的に孤立するので、充電が安定して速やかに行われる。
【００１１】
なお、請求項１または請求項２において、外部アンプに接続するアンプ端子（信号端子と協働端子）へのギターコード（そのプラグ）の装着によって、消費回路に供給する電源の供給元を充電式電池から協働端子（外部アンプ）に切り替わるようにするとよい。
【００１２】
【発明の実施の形態】
以下、図面を参照して本発明の一実施形態について説明する。図７は実施形態の電子弦楽器としての電子ギター１の外観図であり、ネック１１には多数のフレットスイッチ１２が配設され、このフレットスイッチ１２の操作により、音高が入力される。また、ボディ１３にはギターの奏法で弾かれる疑似弦１４が配設されており、この疑似弦１４の振動がピエゾセンサからなるセンサ部１５（請求項のセンサ）により衝撃波形信号に変換され、図示しない制御回路に入力される。ボディ１３の裏側には充電式電池Ｂを収納するとともに、外部アンプに接続するアンプジャック（プラグの差込口）１６及びヘッドホンを接続するヘッドホンジャック（プラグの差込口）１７を有するコントロールボックス１８が備えられている。なお、制御回路及び楽音信号の生成については従来同様であるので詳細な説明は省略する。
【００１３】
図６は実施形態の電子ギター１の使用例を示す図である。図６(A) に示した第１の使用例は、電子ギター１をギターコード１０で外部アンプ（ギターアンプ）２０に接続する場合であり、外部アンプ２０からギターコード１０を介して供給される電源により電子ギター１が作動する。そして、充電式電池Ｂに充電がなされ、電子ギター１で発生された音声信号（楽音信号）がギターコード１０を介して外部アンプ２０に供給され、この外部アンプ２０で音声信号が増幅されて楽音が発生する。すなわち、この場合は、アンプ発音で、充電式電池Ｂは充電（非放電）であり、電源は外部アンプ２０である。
【００１４】
図６(B) に示した第２の使用例は、電子ギター１にヘッドホンコード３０を介してヘッドホン４０を接続する場合であり、充電式電池Ｂから供給される電源により電子ギター１が作動する。そして、電子ギター１で発生された音声信号によりヘッドホン４０で楽音が発生する。すなわち、この場合は、ヘッドホン発音で、充電式電池Ｂは放電であり、電源は充電式電池Ｂである。
【００１５】
（第１実施例及び第２実施例）
図１は第１実施例及び第２実施例に係る要部回路図、図２はアンプジャック１６の端子とギターコード１０のプラグの構造を示す図、図３はヘッドホンジャック１７の端子とヘッドホンコード３０のプラグ３０１の構造を示す図である。なお、図１において配線の結線状態及び端子の形状を解りやすくするために、符号の引き出し線を一部省略してある。図１において、ギター本体回路１００はギター制御回路１１０とヘッドホンアンプ回路１２０を備えており、ギター制御回路１１０は楽音信号の生成などの各種の処理を行い、ヘッドホンアンプ回路１２０は、右チャンネル回路（Ｒ）１２０Ｒから右チャンネルの音声信号を出力し、左チャンネル回路（Ｌ）１２０Ｌは左チャンネルの音声信号を出力する。充電回路２００は充電式電池Ｂの充電を制御する回路であり、充電式電池Ｂへ供給する電圧を安定化する安定化回路及び異常時に電源を遮断する安全化回路も構成している。
【００１６】
端子群３００の各端子のうち破線で囲った端子はアンプジャック１６に分配され、その他の端子はヘッドホンジャック１７に分配されたものである。なお、端子群３００の各端子の右に付した符号“２〜７”は、アンプジャック１６、ヘッドホンジャック１７の各端子、ギターコード１０及びヘッドホンコード３０の各導線との接続関係をも示すものであり、各図において同一数字のものが導通される。なお、以下の説明で、“２〜７”の数字に対応する端子を「２番端子」〜「７番端子」などという。
【００１７】
２番端子２は制御端子であり、アンプジャック１６とヘッドホンジャック１７に共通に配設され、この２番端子２は抵抗Ｒ１を介してスイッチングトランジスタＴｒのベースに接続されている。３番端子３はアンプジャック１６とヘッドホンジャック１７に共通に配設された接地端子であり、この３番端子は、充電回路２００のＧＮＤ端子、充電式電池Ｂの−端子、外部アンプ３０への出力のノイズ除去等を行うフィルタ回路Ｆ１、および、充電回路２００のＶＣＣ端子とＧＮＤ端子間に接続された平滑コンデンサＣ１と共に接地されている。
【００１８】
ヘッドホンアンプ回路１２０の右チャンネル回路（Ｒ）１２０Ｒの出力線は、右チャンネル出力のノイズ除去等を行うフィルタ回路Ｆ２を介して４番端子４に接続され、左チャンネル回路（Ｌ）１２０Ｌの出力線は、左チャンネル出力のノイズ除去等を行うフィルタ回路Ｆ３を介して５番端子５に接続されている。また、右チャンネル回路（Ｒ）１２０Ｒの出力線と左チャンネル回路（Ｌ）１２０Ｌの出力線は、ミキシング抵抗Ｒ２，Ｒ３を介して接続され、このミキシング出力線はフィルタ回路Ｆ１を介して７番端子に接続されている。また、６番端子６は、充電回路２００のＶＣＣ端子に接続されるとともに、逆流防止用の第１のダイオードＤ１のアノードに接続されている。
【００１９】
充電回路２００のＯＵＴ端子は充電式電池Ｂの＋端子と、逆流防止用の第２のダイオードＤ２のアノードに接続されている。第１のダイオードＤ１のカソードと第２のダイオードＤ２のカソードは平滑コンデンサＣ２を介して接地されるとともに、スイッチングトランジスタＴｒのエミッタに接続されている。スイッチングトランジスタＴｒのエミッタとベース間には電流制限用の抵抗Ｒ４が接続され、スイッチングトランジスタＴｒのコレクタは、平滑コンデンサＣ３を介して接地されるとともに、ギター制御回路１１０に入力されている。
【００２０】
図２に示したように、電子ギター１の本体側のアンプジャック１６には２番端子２ｇ、３番端子３ｇ、６番端子６ｇ及び７番端子７ｇが配設されており、これらの端子は導電性及び弾性を有する部材で形成されている。ギターコード１０のプラグ１０１の周囲には、その先端部に信号端子７ａが配設されるとともに、この信号端子７ａと絶縁部材８１を挟んで−端子３ａが配設されている。また、プラグ１０１の中心には＋端子６ａが配設されている。信号端子７ａ、−端子３ａ及び＋端子６ａは、それぞれ絶縁されてギターコード１０内を通ってギターアンプ２０に接続される。なお、符号の数字は図１の端子番号に対応し、符号の「ｇ」電子ギター１側に対応することを示し、「ａ」は外部アンプ２０側に対応することを示している。
【００２１】
アンプジャック１６の２番端子２ｇと３番端子３ｇは、プラグ１０１の外周に対応する位置に配設され、アンプジャック１６に対してプラグ１０１が挿入されていない状態で、２番端子２ｇと３番端子３ｇの先端は僅かに離間されるようになっている。また、６番端子６ｇはプラグ１０１の中心に対応する位置に配設され、７番端子７ｇは３番端子３ｇの反対側でプラグ１０１の先端外周部に対応する位置に配設さている。
【００２２】
以上の構成により、ギターコード１０のプラグ１０１をアンプジャック１６に挿入すると、３番端子３ｇの先端がプラグ１０１の外周により外側に変位し、３番端子３ｇと２番端子２ｇが接触した状態で外側に変位する。そして、プラグ１０１の完挿状態で、３番端子３ｇ（及び２番端子２ｇ）がプラグ１０１の−端子３ａに接続される。また、６番端子６ｇは＋端子６ａに接続され、７番端子７ｇは信号端子７ａに接続される。
【００２３】
外部アンプ２０では、内部電源からＡＣ／ＤＣ変換して例えば１２Ｖの直流電圧を生成しており、この直流電圧は、外部アンプ２０におけるギターコード１０のプラグを挿入するジャックに対して直流電源として供給されている。なお、この外部アンプ２０におけるジャックは図２のアンプジャック１６と同様な構造とすることができ、また、このジャックに挿入するギターコード１０のプラグは図２のプラグ１０１と同様な構造にすることができる。これにより、プラグ１０１の＋端子６ａには１２Ｖの直流電圧（以後、「アンプ電圧ＶAMP 」ともいう。）が印加されている。
【００２４】
次に、上記プラグ１０１がアンプジャック１６に挿入された状態、すなわち、図６(A) の状態の回路動作を図１に基づいて説明する。２番端子２（制御端子）は３番端子３に接続されて接地されており、これによりスイッチングトランジスタＴｒが導通する。６番端子６には、プラグ１０１の＋端子６ａからアンプ電圧ＶAMP （１２Ｖ）が印加されており、充電回路２００のＶＣＣ端子に印加される。これにより、充電回路２００が作動し、この充電回路２００はＯＵＴ端子から例えば１０Ｖ程度の直流電圧を充電式電池Ｂの＋端子に印加し、充電式電池Ｂで充電が開始される。なお、充電回路２００はこのＯＵＴ端子の電圧を監視しすることで、充電式電池Ｂの充電完了を検出し、充電完了を検出すると、ＯＵＴ端子をオフする。
【００２５】
一方、第１のダイオードＤ１のアノードにもアンプ電圧ＶAMP （１２Ｖ）が印加され、このダイオードＤ１で例えば０．６Ｖ電圧降下してダイオードＤ１のカソードから１１．４Ｖの電圧が出力される。これにより、スイッチングトランジスタＴｒを介してギター制御回路１１０に１１．４Ｖの直流電力が供給され、ギター制御回路１１０が動作可能となる。すなわち、外部アンプ２０から供給される電源により電子ギター１が動作する。なお、右チャンネル回路（Ｒ）１２０Ｒの出力と左チャンネル回路（Ｌ）１２０Ｌの出力は、ミキシングされて７番端子７からプラグ１０１の信号端子７ａに供給され、外部アンプ２０に楽音信号として送出される。
【００２６】
ここで、充電式電池Ｂの＋端子は第２のダイオードＤ２のアノードに接続されているが、このダイオードＤ２のアノード電圧（以下、電池電圧ＶBATT」ともいう。）が１０Ｖ程度であり、ダイオードＤ２のカソード電圧が１１．４Ｖである。すなわち、ダイオードＤ２において、条件「アンプ電圧ＶAMP ＞電池電圧ＶBATT＋０．６Ｖ」が成り立つので、充電式電池ＢからスイッチングトランジスタＴｒ及びギター制御回路１１０に電流が流れることがない。したがって、請求項２に対応して、第３端子３ｇ及び第６端子６ｇ（協働端子）へ外部アンプ２０からの接続時に、充電式電池Ｂを、該充電式電池Ｂを使用する消費回路（ギター本体回路）から電気的に孤立させ、第３端子３ｇ及び第６端子６ｇ（協働端子）から充電のみに供される。なお、上記の条件を成立させる充電制御２００、上記第１のダイオードＤ１、第２のダイオードＤ２及びこれらの回路構成が、「制限手段」に相当する。
【００２７】
図３に示したように、電子ギター１の本体側のヘッドホンジャック１７には２番端子２ｇ、３番端子３ｇ、４番端子４ｇ及び５番端子５ｇが配設されており、これらの端子は導電性及び弾性を有する部材で形成されている。ヘッドホンコード３０のプラグ３０１の先端部には右チャンネル信号端子４ｈ（なお、「ｈ」はヘッドホン側を示す。）が配設され、この右チャンネル信号端子４ｈと絶縁部材８２を挟んで左チャンネル信号端子５ｈが配設されている。また、この左チャンネル信号端子５ｈと絶縁部材８３を挟んでアース端子３ｈが配設されている。また、ヘッドホンジャック１７の２番端子２ｇと３番端子３ｇは、プラグ３０１の外周に対応する位置に配設され、ヘッドホンジャック１７に対してプラグ３０１が挿入されていない状態で、２番端子２ｇと３番端子３ｇの先端は僅かに離間されるようになっている。また、４番端子４ｇと５番端子５ｇは３番端子３ｇの反対側でプラグ３０１の外周に対応する位置に配設さている。
【００２８】
以上の構成により、ヘッドホンコード３０のプラグ３０１をヘッドホンジャック１７に挿入すると、アンプジャック１６及びプラグ１０１の場合と同様に、プラグ３０１の完挿状態で、３番端子３ｇ（及び２番端子２ｇ）がプラグ３０１のアース端子３ｈに接続される。また、４番端子４ｇは右チャンネル信号端子４ｈに接続され、５番端子５ｇは左チャンネル信号端子５ｈに接続される。
【００２９】
次に、上記ヘッドホンコード３０のプラグ３０１がヘッドホンジャック１７に挿入された状態、すなわち、図６(B) の状態の回路動作を図１に基づいて説明する。２番端子２（制御端子）は３番端子３を介して接地されており、これによりスイッチングトランジスタＴｒが導通する。アンプジャック１６にはギターコード１０のプラグ１０１が挿入されていないので、６番端子６の電圧は０Ｖであり、第１，第２のダイオードＤ１，Ｄ２のカソード電圧が電池電圧ＶBATTより低くなり、充電式電池Ｂの＋端子からダイオードＤ２及びスイッチングトランジスタＴｒを介してギター制御回路１１０に所定電圧（電池電圧ＶBATT−０．６Ｖ）の直流電力が供給され、ギター制御回路１１０が動作可能となる。すなわち、充電式電池Ｂから供給される電源により電子ギター１が動作する。なお、右チャンネル回路（Ｒ）１２０Ｒの出力と左チャンネル回路（Ｌ）１２０Ｌの出力は、それぞれ４番端子４ｇ及び５番端子５ｇからヘッドホン４０に楽音信号として送出される。
【００３０】
また、ヘッドホンジャック１７からプラグ３０１を抜くと、２番端子２ｇが３番端子３ｇから離間して非接地となるのでスイッチングトランジスタＴｒがオフ（非導通）となる。すなわち、ヘッドホンのプラグ３０１を差し込まないと、充電式電池Ｂはオフ（非放電状態）のままである。したがって、電源スイッチを不要にすることもできる。
【００３１】
以上の説明は請求項１及び請求項２に対応する第２実施例であるが、以上の構成において、充電式電池Ｂ、充電回路２００、平滑コンデンサＣ１、第２のダイオードＤ２を無くして、６番端子６からの電池電圧ＶBATTを第１のダイオードＤ１及びスイッチングトランジスタＴｒを介してギター制御回路１１０に供給するようにしてもよい。この場合は充電式電池無しの構成をとる参考例である。
【００３２】
（第３実施例）
図４は第３実施例に係る要部回路図、図５はアンプジャック２６の端子とギターコード１０のプラグの構造を示す図である。なお、図４及び図５において、配線の結線状態及び端子の形状を解りやすくするために、符号の引き出し線を一部省略してある。ギター本体回路１００′は、ギター制御回路やヘッドホンアンプ回路等を備えており、楽音信号は信号端子から出力され、当該ギター本体回路１００′の＋端子と−端子に電源が供給される。
【００３３】
ギター本体回路１００′の信号端子はアンプジャック２６のコネクタ２６ａに形成された端子７０′を介して端子７０に接続されている。また、ギター本体回路１００′の＋端子はコネクタ２６ａに形成された端子６０′を介して端子６０に接続されるとともに、スイッチ回路ＳＷの一方の切換端子６１に接続されている。スイッチ回路ＳＷの他方の切換端子６３はダイオードＤ３のカソードに接続され、このダイオードＤ３のアノードは端子６４に接続されている。また、スイッチ回路ＳＷの共通端子６２はコネクタ２６ａに形成された端子６２′を介して充電式電池Ｂの＋端子に接続され、充電式電池Ｂの−端子はギター本体回路１００′の−端子に接続されるとともに、コネクタ２６ａに形成された端子３０′を介して端子３０に接続されている。
【００３４】
図５(A) に示すように、本体側のアンプジャック２６のコネクタ２６ａには端子３０，６０，６４，７０が配設されており、端子６０の先端はスイッチ回路ＳＷの一方の切換端子６１とされている。また、この切換端子６１の近傍には、スイッチ回路ＳＷの共通端子６２及び他方の切換端子６３が配設されている。これらの端子は導電性及び弾性を有する部材で形成されている。なお、端子６４と切換端子６３との間には前記ダイオードＤ３が接続されている。
【００３５】
図５(B) に示すように、ギターコード１０のプラグ１０２の周囲には、その先端部に信号端子７ａが配設されるとともに、この信号端子７ａと絶縁部材８４を挟んで＋端子６ａが配設されている。なお、信号端子７ａの一部（図では上部）には絶縁部材８５が配設されている。また、プラグ１０２の中心には−端子３ａが配設されている。信号端子７ａ、＋端子６ａ及び−端子３ａは、それぞれ絶縁されてギターコード１０内を通ってギターアンプ２０に接続される。
【００３６】
図５(A) において端子６０と端子６４は、プラグ１０２の外周に対応する位置に配設されている。この端子６０と端子６４は、図５(A) では交差しているように見えるがプラグ１０２の外周方向において離間されており、両端子６０，６４は互いに接触することはない。コネクタ２６ａに対してプラグ１０２が挿入されていない状態（図５(A) の状態）では、端子６０の先端の切換端子６１と共通端子６２は、端子６０あるいは共通端子６２の弾性力により互いに接触しており、かつ、共通端子６２と切換端子６３とは離間している。また、端子３０はプラグ１０２の中心に対応する位置に配設され、端子７０は端子６０の反対側でプラグ１０２の先端側外周に対応する位置に配設さている。なお、プラグ１０２の挿入時に、端子６０と端子６４がプラグ１０２の絶縁部材８５の位置に一致するように、プラグ１０２をカバーするカバー部材１０３の一箇所にプラグ１０２の軸方向と並行な突条１０３ａが形成されており、この突条１０３ａはコネクタ２６ａに形成された図示しない溝に嵌合される。
【００３７】
以上の構成により、ギターコード１０のプラグ１０２をコネクタ２６ａに挿入すると、端子６０と端子６４の先端がプラグ１０２の外周により外側に共に変位し、このとき、端子６０，６４は絶縁部材８５及び８４とに順次接触するだけで電気的に接続されることはない。そして、図５(C) に示したように、プラグ１０２の完挿状態では、端子６０の切換端子６１が変位することで共通端子６２から離間し、これにより共通端子６２がその弾性力により外側に変位して切換端子６３と接触する。また、切換端子６１すなわち端子６０と、端子６４は、それぞれプラグ１０２の＋端子６ａに接続される。また、端子３０はプラグ１０２の−端子３ａに接続され、端子７０はプラグ１０２の信号端子７ａに接続される。
【００３８】
上記のようにプラグ１０２がコネクタ２６ａに挿入されると、図４において信号端子７ａが端子７０に接続され、＋端子６ａが端子６０と端子６４に接続され、−端子３ａが端子３０に接続される。また、スイッチ回路ＳＷにおいて、共通端子６２が切換端子６３に接続される。したがって、外部アンプ２０からギターコード１０を介して供給されるアンプ電圧ＶAMP （例えば１２Ｖ）がギター本体回路１００′の＋端子と−端子に印加される。また、このアンプ電圧ＶAMP はダイオードＤ３で例えば０．６Ｖ程度降下され、スイッチ回路ＳＷを介して充電式電池Ｂに供給され、充電式電池Ｂで充電がなされる。
【００３９】
また、プラグ１０２をアンプジャック２６から抜くと、各端子７０，６０，６４，３０は絶縁されるとともに、スイッチ回路ＳＷにおいて共通端子６２が切換接点６１に接続される（図４の状態）。したがって、充電式電池Ｂからギター本体回路１００′に直流電圧が供給される。
【００４０】
この第３実施例においては、電子ギター１と外部アンプ２０とを接続しているとき、アンプ電圧ＶAMP （例えば１２Ｖ）は充電式電池Ｂに対してダイオードＤ３を介して供給されている。したがって、ギター本体回路１００′、外部アンプ２０側、ギターコード１０等で、何らかのトラブル（短絡等の過電流使用状態）が発生したとしても、充電式電池ＢはダイオードＤ３及びスイッチ回路ＳＷにより過放電することなく、充電が停止するだけである。このように優れた実施例となっている。
【００４１】
【発明の効果】
本発明の請求項１の電子弦楽器によれば、楽器本体にＡＣ／ＤＣアダプターを必要とせず軽量化を図ることができ、電子弦楽器の軽量化を図り、演奏性と可搬性を向上させることができる。また、ギターコードを利用するので電源供給のための専用の配線を必要としない。さらに、ギターという弦楽器で演奏中にアンプとの接続に用いるギターコードをつかうので、演奏中に充電式電池に充電することができ、外部アンプを使用しないで例えばヘッドホン再生する場合にも、充電式電池を電源として使用することができ、例えば使い捨ての乾電池を使用する場合よりも省資源という点で優れている。
【００４３】
本発明の請求項２の電子弦楽器によれば、請求項１と同様な効果が得られるとともに、充電時に充電式電池が消費回路から電気的に孤立するので、充電を安定して速やかに行うことができる。
【図面の簡単な説明】
【図１】本発明の第１実施例及び第２実施例に係る要部回路図である。
【図２】本発明の第１実施例及び第２実施例におけるアンプジャックの端子とギターコードのプラグの構造を示す図である。
【図３】本発明の第１実施例及び第２実施例におけるヘッドホンジャックの端子とヘッドホンコードのプラグの構造を示す図である。
【図４】本発明の第３実施例に係る要部回路図である。
【図５】本発明の第３実施例におけるアンプジャックの端子とギターコードのプラグの構造を示す図である。
【図６】本発明の実施形態の電子ギターの使用例を示す図である。
【図７】本発明の実施形態の電子ギターの外観図である。
【符号の説明】
１…電子ギター、３ｇ…第３端子（協働端子）、３ａ…−端子、６ｇ…第６端子（協働端子）、６ａ…＋端子、７ａ…信号端子、１０…ギターコード、２０…外部アンプ、２００…充電回路、Ｂ…充電式電池、Ｔｒ…スイッチングトランジスタ、Ｄ１，Ｄ２…ダイオード
【図１】
0003716744.tif 000002
【図２】
0003716744.tif 000003
【図３】
0003716744.tif 000004
【図４】
0003716744.tif 000005
【図５】
0003716744.tif 000006
【図６】
0003716744.tif 000007
【図７】
0003716744.tif 000008